(57)【要約】【課題】ユーザーが現在使用している通信端末装置のメイン表示部で楽しんでいるアプリケーションを電話着信、メール受信、アラーム鳴動等による通知処理により邪魔されることのないようにする。【解決手段】サブ表示部とサブ表示部専用の独立したサブキー操作部を備える通信端末装置であって、メイン表示部とサブ表示部の表示およびメインキー操作部とサブキー操作部の処理を制御する制御部を備える。制御部は、メイン表示部に関して、アプリケーションが動作しているか否かを検出し、動作している場合には、サブ表示部へ割り込み通知を表示する等、メイン表示部、サブ表示部双方の有効利用を行う。【選択図】図１
2007318710.tif 000002
【特許請求の範囲】
【請求項１】
メイン表示部とサブ表示部を有する通信端末装置において、前記メイン表示部の表示に対応するメインキー操作部と、前記サブ表示部の表示に対応する専用のサブキー操作部と、前記メイン表示部と前記サブ表示部の表示および前記メインキー操作部と前記サブキー操作部による処理を制御する制御部とを備えたことを特徴とする通信端末装置。
【請求項２】
請求項１記載の通信端末装置において、前記メイン表示部が配置された端末の第１の筐体が、前記メインキー操作部が配置された前記端末の第２の筐体に対して開いた状態であるか、閉じた状態であるかを検出する開閉状態検出部をさらに備え、前記制御部は、前記メイン表示部に関して、アプリケーションが動作しているか否か、もしくは前記メインキー操作部による処理が行われているか否かを検出し、前記開閉状態検出部の出力結果とあわせて、前記メイン表示部もしくは前記サブ表示部へ割り込み通知を表示することを特徴とする通信端末装置。
【請求項３】
前記第１の筐体が前記第２の筐体に対して開いた状態であることを前記開閉状態検出部が検出し、かつ前記メイン表示部に関して、前記アプリケーションが動作していない場合、もしくは前記メインキー操作部による処理が行われていない場合、前記制御部は前記メイン表示部へ割り込み通知を表示することを特徴とする請求項２記載の通信端末装置。
【請求項４】
前記第１の筐体が前記第２の筐体に対して開いた状態であることを前記開閉状態検出部が検出し、かつ前記メイン表示部に関して、前記アプリケーションが起動している場合、もしくは前記メインキー操作部による処理が行われている場合、前記制御部は前記サブ表示部へ割り込み通知を表示することを特徴とする請求項２記載の通信端末装置。
【請求項５】
前記第１の筐体が前記第２の筐体に対して閉じた状態であることを前記開閉状態検出部が検出した場合、前記制御部は前記サブ表示部へ割り込み通知を表示することを特徴とする請求項２記載の通信端末装置。
【請求項６】
前記サブ表示部へ割り込み通知を表示した後、前記第１の筐体が前記第２の筐体に対して開いた状態であることを前記開閉状態検出部が検出した場合、前記制御部は前記サブ表示部に表示されている前記割り込み通知を前記メイン表示部に表示することを特徴とする請求項５記載の通信端末装置。
【請求項７】
前記割り込み通知が電話着信、メール受信、アラーム鳴動のいずれかであることを特徴とする請求項２乃至６記載の通信端末装置。
【請求項８】
前記第１の筐体と前記第２の筐体は、ヒンジ部により開閉自在に一体に構成されており、前記ヒンジ部の平坦面に前記サブ表示部が配置され、前記サブ表示部は、前記第１の筐体が前記第２の筐体に対して閉じた状態であるときに、前記第１の筐体の前記メイン表示部が配置された面と反対側の外表面に沿って外部に露出した構造であることを特徴とする請求項２記載の通信端末装置。
【請求項９】
前記サブキー操作部は、前記ヒンジ部の平坦面上であって、前記サブ表示部の周辺に配置されていることを特徴とする請求項８記載の通信端末装置。
【請求項１０】
前記サブキー操作部により着信応答、保留、拒否、通話終了の操作、受信メールの内容確認の操作、メール本文に含まれるＵＲＬへのアクセス操作、メールに添付されているファイルの確認操作、もしくはアラームの停止、アラーム画面終了の操作を行うことを特徴とする請求項９記載の通信端末装置。
【請求項１１】
前記サブ表示部において、前記サブキー操作部を使用して前記メール本文に含まれる前記ＵＲＬへのアクセス操作、もしくは前記メールに添付されているファイルの確認操作を行う場合、前記制御部は前記メイン表示部におけるアプリケーションの動作状況を確認し、一時休止中であれば、前記ＵＲＬの情報内容の表示、もしくは前記ファイル内容の表示を前記メイン表示部で行うよう処理することを特徴とする請求項１０記載の通信端末装置。
【請求項１２】
前記メイン表示部において、前記メインキー操作部を使用してメール内容を確認している場合であって、前記メール本文に含まれるＵＲＬへのアクセス操作、もしくは前記メールに添付されているファイルの確認操作が行われた場合、前記制御部は前記メイン表示部で表示している前記メール本文の内容を前記サブ表示部に表示させ、前記メイン表示部に前記ＵＲＬの情報内容の表示、もしくは前記ファイル内容の表示を前記メイン表示部で行うよう処理することを特徴とする請求項１記載の通信端末装置。
【発明の詳細な説明】
【技術分野】
【０００１】
本発明は、携帯電話機、ＰＨＳ（Personal Handyphone System）端末、ＰＤＡ（Personal Digital Assistance）端末等に代表される通信端末装置に関する。
【背景技術】
【０００２】
近年、携帯電話機においては、表示ディスプレイを２つ備えたものが主流となり、テレビ、ビデオの動画像、またゲームの表示画面として使用されるメイン表示ディスプレイと、待ち受け時に日付、時刻等の表示を行い、メイン表示ディスプレイと比較して小さなサブ表示ディスプレイとを有している。（例えば、特許文献１参照。）
【特許文献１】特開２００３−２０９６０２号公報  上記特許文献１において、メインＬＣＤ（Liquid Crystal Display）とサブＬＣＤを備えた携帯電話機は、メインＬＣＤおよびサブＬＣＤにおける表示を制御するマイクロコンピュータを有し、マイクロコンピュータは、ユーザーが選択する時に、メインＬＣＤに表示される情報のうち、ユーザーの選択した情報をサブＬＣＤに常時表示するように、表示を制御することが開示されている。
【発明の開示】
【発明が解決しようとする課題】
【０００３】
しかしながら、上記特許文献１では、メインＬＣＤに表示される画面の入力、確定操作を行うための数字キー、カーソルキー、実行キーを備え、メインＬＣＤにおける各種操作の実行を行うことが可能であるが、サブＬＣＤは、メインＬＣＤに表示される情報のうち、ユーザーの選択した情報を常時表示するようにしたものであり、あくまでメインＬＣＤの補助的表示を行うにすぎないものである。
【０００４】
したがって、ユーザーがメインＬＣＤの操作中に、外部からの電話着信、もしくはメール受信、アラーム鳴動等の割り込み通知があった場合には、現在のメインＬＣＤで操作中の作業を一旦中止し、電話の応答、もしくはメール返信等を終えた後、再度、メインＬＣＤ上の作業を開始することが必要であり、例えば、メインＬＣＤ上でゲーム操作を行っている場合に、割り込み通知により中断がはいると、ゲームの勝敗を左右するせっかくの大事なチャンスを逸してしまい、ユーザーの興味が失せてしまうといった課題がある。
【０００５】
また、メインＬＣＤ上で行っていた作業が中断されることで、作業能率が低下してしまう、あるいは作業の継続自体を忘れてしまうといった課題がある。
【課題を解決するための手段】
【０００６】
本発明は上記の課題に鑑みなされたものであり、メイン表示部とサブ表示部を有する通信端末装置において、メイン表示部の表示に対応するメインキー操作部と、サブ表示部の表示に対応する専用のサブキー操作部と、メイン表示部とサブ表示部の表示およびメインキー操作部とサブキー操作部の処理を制御する制御部とを備えた通信端末装置である。
【０００７】
また、メイン表示部が配置された端末の第１の筐体が、メインキー操作部が配置された端末の第２の筐体に対して開いた状態であるか、閉じた状態であるかを検出する開閉状態検出部をさらに備え、制御部は、メイン表示部に関して、アプリケーションが動作しているか否か、もしくはメインキー操作部による処理が行われているか否かを検出し、開閉状態検出部の出力結果とあわせて、メイン表示部もしくはサブ表示部へ割り込み通知を表示することを特徴とする通信端末装置である。
【０００８】
更に、サブ表示部において、サブキー操作部を使用してメール本文に含まれるＵＲＬ（Uniform Resource Locator）へのアクセス操作、もしくはメールに添付されているファイルの確認操作を行う場合、制御部はメイン表示部におけるアプリケーションの動作状況を確認し、一時休止中であれば、ＵＲＬの情報内容の表示、もしくはファイル内容の表示をメイン表示部で行うよう処理することを特徴とする通信端末装置である。
【０００９】
更に、メイン表示部において、メインキー操作部を使用してメール内容を確認している場合であって、メール本文に含まれるＵＲＬへのアクセス操作、もしくはメールに添付されているファイルの確認操作が行われた場合、制御部はメイン表示部で表示しているメール本文の内容をサブ表示部に表示させ、メイン表示部にＵＲＬの情報内容の表示、もしくはファイル内容の表示をメイン表示部で行うよう処理することを特徴とする通信端末装置である。
【発明の効果】
【００１０】
本発明の通信端末装置によれば、メイン表示部においてテレビ、動画撮影、ゲーム等のアプリケーションを動作中に電話着信、メール受信、アラーム鳴動等の割り込み通知がはいった場合でも、メイン表示部におけるアプリケーションの動作表示に何らの影響を及ぼすことなく、サブ表示部の方へ割り込み通知を表示するようにできるので、アプリケーションを楽しんでいるユーザーにとり、大事な瞬間を逃してしまうという不都合がない。また、メイン表示部で動作しているアプリケーションに対する操作をメインキー操作部で行いながら、サブ表示部に対する専用のサブキー操作部で着信応答、保留、拒否操作等が可能である。
【００１１】
また、メインキー操作部を使用して、メイン表示部におけるアプリケーションを一時休止状態にすることで、サブ表示部で表示しているメール本文に含まれるＵＲＬ、もしくはメールの添付ファイルを起動し、メイン表示部にそれらの内容を表示することを可能にする。
【００１２】
更に、メイン表示部でメール内容を表示し、サブ表示部での表示がなされていない場合に、メイン表示部で表示しているメール本文をサブ表示部に表示することで、メール本文に含まれるＵＲＬ、もしくはメールの添付ファイルを起動し、メイン表示部にそれらの内容を表示することを可能にする。
【発明を実施するための最良の形態】
【００１３】
以下、本発明の通信端末装置に係る実施の形態について図面を用いて説明する。図１は本発明を折り畳み可能な携帯電話機に適用した場合の一形態を示し、図１（Ａ）は開いた状態の正面図、図１（Ｂ）は折り畳んだ状態の正面図である。また図２は図１の携帯電話機を側面から見た図であり、図２（Ａ）は折り畳んだ状態の側面図、図２（Ｂ）は開いた状態の側面図である。
【００１４】
図１、図２において、携帯電話機の第１の筐体である上側筐体１０１と第２の筐体である下側筐体１０２はヒンジ部１０３により開閉自在に一体に構成されている。メインの表示部であるメインＬＣＤ１０４は上側筐体１０１に配置され、メインＬＣＤ１０４上における操作を行うためのメインキー操作部１０５は下側筐体１０２に配置されている。そして、上側筐体１０１を下側筐体１０２に対して閉じた際に、メインＬＣＤ１０４とメインキー操作部１０５とは互いに対向するように構成されている。
【００１５】
また、メインＬＣＤ１０４とは独立して設けられるサブの表示部であるサブＬＣＤ１０６は、ヒンジ部１０３の上部平坦面上に配置され、上側筐体１０１が下側筐体１０２に対して閉じた状態であるときに、メインＬＣＤ１０４が配置されていない上側筐体１０１の外表面に沿って外部に露出する構成となっている。
【００１６】
サブＬＣＤ１０６上における専用操作を行うためのサブキー操作部１０７は、サブＬＣＤ１０６が配置された同一の平坦面上であって、サブＬＣＤ１０６の近傍周辺に配置されている。なお、サブキー操作部１０７の配置箇所については、サブＬＣＤ１０６に対する操作が行い易い箇所であれば特にサブＬＣＤ１０６の近傍周辺に限定されるものではなく、上側筐体１０１、下側筐体１０２の両側面上に配置されてもよいし、ヒンジ部１０３の側面上に配置されてもよい。
【００１７】
次に図３は、本発明の実施の形態における通信端末装置の概略回路構成を示す図である。図３において、開閉状態検出部１０８は上側筐体１０１が下側筐体１０２に対して閉じ
た状態であるか、開いた状態であるかを検出し、その検出情報を制御部１０９へ通知する。
【００１８】
制御部１０９では、開閉状態検出部１０８の検出情報を参照し、またメインＬＣＤ１０４上でアプリケーションが動作中であるか否か、もしくはメインキー操作部１０５による処理がなされているか否かを判断し、アンテナ１１１、ＲＦ部１１０を通して外部からの電話着信、メール受信、もしくはアラーム鳴動等の通知があった場合に、その通知をサブＬＣＤ１０６もしくはメインＬＣＤ１０４のどちらかへ表示するように制御する。なお、制御部１０９における具体的制御方法については、後述する図４、図５、図６の処理フロー図を用いて詳細に説明する。
【００１９】
図４は、本発明の実施の形態における通信端末装置において、外部から電話着信があっ
た場合の制御部１０９の処理フローを示す図である。
【００２０】
図４において、まず開閉状態検出部１０８は上側筐体１０１が下側筐体１０２に対して開いている（フォルダが開いている）状態であるか否かを検出する。（２０１）
フォルダが開いていない状態（ＮＯ）の場合は、Ａ２０２へ移行し処理を進める。（図５参照）フォルダが開いている状態（ＹＥＳ）の場合は、さらに制御部１０９は、メインＬＣＤ１０４上でアプリケーションが動作しているか否か、もしくはメインキー操作部１０５による処理がなされているか否かを判断し（２０３）、アプリケーションの動作、もしくはメインキー操作部１０５による処理が行われていない状態（ＮＯ）の場合は、Ｂ２０４へ移行し処理を進める。（図６参照）
アプリケーションの動作、もしくはメインキー操作部１０５による処理が行われている状態（ＹＥＳ）の場合は、制御部１０９は、サブＬＣＤ１０６に着信の通知を行うようにし、メインＬＣＤ１０４上ではアプリケーションの動作が継続して表示されるようにする。（２０５）そして、ユーザーによる操作が行われ（２０６）、着信通知が表示されたサブＬＣＤ１０６に対する操作（着信応答、保留、拒否操作等）をサブキー操作部１０７で行い、処理内容を実行してサブＬＣＤ１０６の画面を更新する。（２０７）また、アプリケーションが動作中（例えば、ゲームをプレイ中）のメインＬＣＤ１０４に対しては、メインキー操作部１０５による操作により処理内容を実行して、メインＬＣＤ１０４上でのアプリケーションを継続して楽しむことができる。（２０８）
次に図５は、図４の処理フロー図において、通信端末装置のフォルダが開いていない状態の時に制御部１０９が行う処理フローを示す図である。
【００２１】
図５において、外部から電話着信があり、フォルダが開いていない場合は、サブＬＣＤ１０６へ着信画面の表示を行う。（２０９）そして、ユーザーによる操作が行われ（２１０）、着信通知が表示されたサブＬＣＤ１０６に対する操作（着信応答、保留、拒否操作等）をサブキー操作部１０７で行い、処理内容を実行してサブＬＣＤ１０６の画面を更新する。（２１１）またユーザーによる操作（２１０）が行われ、着信通知がサブＬＣＤ１０６に表示されている状態にあって、フォルダを開く操作を行った場合は、サブＬＣＤ１０６に表示されている内容をメインＬＣＤ１０４へ表示するように画面表示の移動を行う。（２１２）これにより、表示画面の大きなメインＬＣＤ１０４上での操作、処理が可能となり、作業効率性が高まる。
【００２２】
図６は、図４の処理フロー図において、通信端末装置のフォルダが開いている状態であり、かつメインＬＣＤ１０４上でアプリケーションの動作、もしくはメインキー操作部１０５による処理が行われていない時に制御部１０９が行う処理フローを示す図である。
【００２３】
図６において、外部からの電話着信があった場合は、メインＬＣＤ１０４へ着信画面の表示を行い、メインキー操作部１０５による操作により着信処理が行われる。（２１３）これにより、ユーザーは迅速な着信処理が可能となる。
【００２４】
次に実際に、メインＬＣＤ１０４上でアプリケーションを動作中に外部から電話着信があった場合におけるメインＬＣＤ１０４、サブＬＣＤ１０６の画面表示の一例を図７に示す。
【００２５】
図７（Ａ）は、メインＬＣＤ１０４上でアプリケーションが動作中（例えば、ゲームをプレイ中）である場合の表示状態を示し、メインＬＣＤ１０４ではアプリケーションが動作中（イ）、サブＬＣＤ１０６では表示がオフ（ロ）の状態である。
【００２６】
次に図７（Ｂ）において、メインＬＣＤ１０４上でアプリケーションが動作中に電話着信の通知がはいると、メインＬＣＤ１０４では着信通知の表示がされることなく、継続してアプリケーションの動作が表示（ハ）される。サブＬＣＤ１０６では、着信通知の表示（ニ）がなされ、ユーザーに外部から電話着信がはいったことを知らせる。
【００２７】
電話着信の通知をサブＬＣＤ１０６の表示で知ったユーザーは、現在動作中のアプリケーションを継続して操作したい場合には、図７（Ｃ）に示すように、メインＬＣＤ１０４の表示は変えることなく（ホ）、サブキー操作部１０７の操作により着信通知に対する応答を行い（へ）、メインＬＣＤ１０４で動作中のアプリケーションを楽しみながら、スピーカーホンの機能を利用する等して相手と通話を行う。
【００２８】
以上に述べた本発明の実施の形態における通信端末装置によれば、メインＬＣＤ１０４においてテレビ、動画撮影、ゲーム等のアプリケーションを動作中に外部からの電話着信の割り込み通知がはいった場合でも、メインＬＣＤ１０４におけるアプリケーションの動作表示に何らの影響を及ぼすことなく、サブＬＣＤ１０６の方へ割り込み通知を表示するようにできるので、アプリケーションを楽しんでいるユーザーにとり、大事な瞬間を逃してしまうという不都合がない。また、メインＬＣＤ１０４で動作しているアプリケーションに対する操作をメインキー操作部１０５で行いながら、サブＬＣＤ１０４に対する専用のサブキー操作部１０７で着信応答、保留、拒否操作等が可能であるため、ユーザーにとって操作性に優れた通信端末装置を提供することができる。サブキー操作部１０７による操作は、着信応答、保留、拒否操作以外に通話終了の電話着信に係る操作、受信メールの内容確認等、メール受信に係る操作、アラームの停止、アラーム画面終了等、アラーム鳴動に係る操作について行うことができる。
【００２９】
なお、本実施の形態では、割り込み通知の例として電話着信の場合を取り上げて説明したが、メール受信、アラーム鳴動等の割り込み通知がはいった場合でも同様に、サブＬＣＤ１０４とそれに対応するサブキー操作部１０７を使用して、上記本実施の形態と同様の効果を得ることができる。
【００３０】
図８から図１３は、本発明の他の実施の形態における通信端末装置において、外部からメールを受信した場合の制御部１０９の処理フローを示す図である。
【００３１】
図８において、まず開閉状態検出部１０８は上側筐体１０１が下側筐体１０２に対して開いている（フォルダが開いている）状態であるか否かを検出する。（３０１）
フォルダが開いていない状態（ＮＯ）の場合は、Ｃ３０２へ移行し処理を進める。（図１０参照）フォルダが開いている状態（ＹＥＳ）の場合は、さらに制御部１０９は、メインＬＣＤ１０４上でアプリケーションが起動中であるか否かを確認し（３０３）、アプリケーションが起動していない（ＮＯ）、もしくはアプリケーションは起動したが一時休止中である場合（３０５のＹＥＳ）は、Ｄ３０４へ移行し処理を進める。（図１３参照）アプリケーションが継続して起動している場合（３０５のＮＯ）は、サブＬＣＤ１０６にメール受信の通知を行い（３０６）、Ｅ３０７へ移行し処理を進める。（図９参照）
図９において、サブＬＣＤ１０６でメール受信の通知を受けた場合（Ｅ３０７）、制御部１０９はメール本文にＵＲＬが含まれているか否かを判断し（３０８）、ＵＲＬが含まれている（３０８のＹＥＳ）場合は、Ｆ３０９へ移行し処理を進める。ＵＲＬが含まれていない（３０８のＮＯ）場合は、所定のユーザー操作（３１０）、すなわち、サブキー操作部１０７における処理内容を実行し、サブＬＣＤ１０６を更新する（３１２）、または、メインキー操作部１０５に対する処理内容を実行し、メインＬＣＤ１０４を更新する。（３１１）
図１０において、フォルダが開いていない場合（Ｃ３０２）は、サブＬＣＤ１０６にメール受信画面を表示する。（３１３）そして、制御部１０９はメール本文にＵＲＬが含まれているか否かを判断し（３１４）、ＵＲＬが含まれている（３１４のＹＥＳ）場合は、Ｇ３１５へ移行し処理を進める。ＵＲＬが含まれていない（３１４のＮＯ）場合は、所定のユーザー操作（３１６）、すなわち、サブキー操作部１０７における処理内容を実行し、サブＬＣＤ１０６を更新する（３１８）、または、ユーザーのフォルダを開く動作に応じて、サブＬＣＤ１０６のメール受信の表示をメインＬＣＤ１０４に移動する。（３１７）
図１１において、サブＬＣＤ１０６でメール受信の通知を受けた場合（３０７）であり、かつメール本文にＵＲＬが含まれている（３０８のＹＥＳ）場合（Ｆ３０９）は、メール本文に含まれるＵＲＬにサブキー操作部１０７でアクセスを行い（３１９）、メインＬＣＤ１０４におけるアプリケーションが一時休止されているか否かを制御部１０９で確認し（３２０）、一時休止処理が実施済の場合（３２０のＹＥＳ）は、インターネットで該当するＵＲＬにアクセスし、ホームページの内容をメインＬＣＤ１０４に表示する。（３２１）アプリケーションの一時休止処理が未実施の場合（３２０のＮＯ）場合は、サブＬＣＤ１０６にメインＬＣＤ１０４が使用中である警告を行い、メインＬＣＤ１０４におけるアプリケーションの実行を休止させるように促す。（３２２）
図１２において、フォルダが閉じている状態であり、サブＬＣＤ１０６にメール受信画面を表示し（３１３）、メール本文にＵＲＬが含まれている（３１４のＹＥＳ）場合（Ｇ３１５）は、ユーザー操作（３２３）により、サブキー操作部１０７における処理内容を実行し、サブＬＣＤ１０６を更新する。また、ユーザーのフォルダを開く動作により、サブＬＣＤ１０６のメール受信の表示をメインＬＣＤ１０４へ移動する。（３２５）
次に、メインＬＣＤ１０４上に表示されたメール本文に含まれるＵＲＬにメインキー操作部１０５でアクセスを行い（３２６）、制御部１０９はメール本文をサブＬＣＤ１０６に表示するか否かを確認する。（３２８）サブＬＣＤ１０４に表示する場合（３２８のＹＥＳ）は、インターネットで該当するＵＲＬにアクセスし、ホームページの内容をメインＬＣＤ１０４に表示し、サブＬＣＤ１０６にメール本文を表示する。（３２９）また、メール本文をサブＬＣＤ１０４に表示しない場合（３２８のＮＯ）は、インターネットで該当するＵＲＬにアクセスし、ホームページの内容をメインＬＣＤ１０４に表示し、サブＬＣＤ１０６には何も表示しない。（３３０）
図１３において、フォルダが開いている状態であり、メインＬＣＤ１０４でアプリケーションが起動しておらず（３０３のＮＯ）、またメインＬＣＤ１０４でアプリケーションが一時休止中である（３０５のＹＥＳ）場合（Ｄ３０４）は、メール受信の表示をメインＬＣＤ１０４で行う。（３３１）そして、制御部１０９がメール本文にＵＲＬが含まれているか否かを確認し（３３２）、ＵＲＬが含まれている場合（３３２のＹＥＳ）は、Ｈ３２７へ移行し処理を進める。（図１２参照）ＵＲＬが含まれていない場合（３３２のＮＯ）は、メインキー操作部１０５に対する処理内容を実行し、メインＬＣＤ１０４を更新する。（３３３）
次に実際に、メインＬＣＤ１０４上でアプリケーションを動作中に外部からメール受信があった場合におけるメインＬＣＤ１０４、サブＬＣＤ１０６の画面表示の一例を図１４から図１６に示す。
【００３２】
図１４（Ａ）は、メインＬＣＤ１０４上でアプリケーションが動作中（例えば、ゲームをプレイ中）である場合の表示状態を示し、メインＬＣＤ１０４ではアプリケーションが動作中（ア）、サブＬＣＤ１０６では表示がオフ（イ）の状態である。
【００３３】
次に図１４（Ｂ）において、メインＬＣＤ１０４上でアプリケーションが動作中にメール受信の通知がはいると、メインＬＣＤ１０４ではメール受信通知の表示がされることなく、継続してアプリケーションの動作が表示（ウ）される。サブＬＣＤ１０６では、メール受信通知の表示（エ）がなされ、ユーザーに外部からメール受信がはいったことを知らせる。
【００３４】
図１４（Ｃ）では、メインＬＣＤ１０４上で継続してアプリケーションが動作し（オ）、サブＬＣＤ１０６上でＵＲＬの情報を含むメール本文が表示される。ここで、サブＬＣＤ１０６に表示されたＵＲＬにサブキー操作部１０７からアクセスを行うと、図１５（Ｄ）に示すように、メインＬＣＤ１０４ではアプリケーションが動作中（キ）のためにアクセスしたＵＲＬの情報を表示できない状態であることからサブＬＣＤ１０６では、メインＬＣＤ１０４上のアプリケーションを一時休止することを促す警告表示（ク）を行う。図１５（Ｅ）は、ユーザーの操作によりメインＬＣＤ１０４でアプリケーションを一時休止にした状態を示し（ケ）、図１５（Ｆ）は、再度、サブＬＣＤ１０６上に表示されているＵＲＬにサブキー操作部１０７を使ってアクセスし、メインＬＣＤ１０６上にＵＲＬの情報であるホームページ等の内容を表示した状態（サ）を示す。
【００３５】
図１６（Ｇ）では、メインＬＣＤ１０４においてＵＲＬの情報を含むメール本文の表示（ス）がなされ、サブＬＣＤ１０６では何も表示がされていない状態（セ）を示す。ここで、メインＬＣＤ１０４上のＵＲＬにメインキー操作部１０５を使ってアクセスを行うと、ＵＲＬの情報をメインＬＣＤ１０４上に表示することによるメール本文の表示が失われることを避けるために、図１６（Ｈ）に示すようにメール本文の表示をサブＬＣＤ１０６へ移行するか否かの確認表示（ソ）をメインＬＣＤ１０４に対して行う。
【００３６】
以上に述べた本発明の他の実施の形態における通信端末装置によれば、メインＬＣＤ１０４においてテレビ、動画撮影、ゲーム等のアプリケーションを動作中に外部からのメール受信の割り込み通知がはいった場合でも、メインＬＣＤ１０４におけるアプリケーションの動作表示に何らの影響を及ぼすことなく、サブＬＣＤ１０６の方へ割り込み通知を表示するようにできるので、アプリケーションを楽しんでいるユーザーにとり、大事な瞬間を逃してしまうという不都合がない。また、サブＬＣＤ１０６に対する専用のサブキー操作部１０７で、サブＬＣＤ１０６に通知されたメール受信に係る操作、例えば、受信メールの内容確認のための操作、メール本文に含まれるＵＲＬへのアクセス操作、メールに添付されているファイルの確認操作等を行うことができる。
【００３７】
さらに、サブキー操作部１０７でサブＬＣＤ１０６に表示されているＵＲＬへアクセスを行った際に、メインＬＣＤ１０４上でアプリケーションが動作中の場合には、ユーザーに対してアプリケーションの一時休止を促す警告表示をサブＬＣＤ１０６で行う。また、ユーザー操作によるアプリケーション動作の一時休止の処理がなされ、ＵＲＬへのアクセス操作がなされると、そのＵＲＬの情報であるホームページ等の内容がメインＬＣＤ１０４に表示されるので、サブＬＣＤ１０６に比べて大きな画面で内容の確認を容易に行うことが可能となる。
【００３８】
さらに、メインＬＣＤ１０４上でメール受信を行い、ＵＲＬを含むメール本文を表示している場合において、メインキー操作部１０５を使ってＵＲＬへのアクセス操作を行うと、ユーザーに対してメール本文をサブＬＣＤ１０６へ移行させて表示するか否かの警告表示がなされる。これにより、表示がオフ状態であるサブＬＣＤ１０６の画面を有効に活用して、ＵＲＬの情報であるホームページ等の内容を大画面であるメインＬＣＤ１０４に表示、それと関係するメール本文をサブＬＣＤ１０６に表示するといった画面の利用が可能となり、ユーザーは互いの表示をリアルタイムで参照することができるのでＵＲＬアクセスの作業性が高まる。
【００３９】
また、本実施の形態では、折り畳み可能な携帯電話機に適用した場合の例を用いて説明したが、特にこれに限定されるものではなく、上側筐体と下側筐体をスライドさせてコンパクトな形状とするスライド式の携帯電話機や、棒状の単体筐体で構成されるストレート式の携帯電話機、その他フリップ式、リボルバー式等の携帯電話機、ＰＨＳ端末、さらにはＰＤＡ端末に適用することが可能である。
【産業上の利用可能性】
【００４０】
本発明は、携帯電話機、ＰＨＳ端末、ＰＤＡ端末等に代表される通信端末装置に利用可能である。
【図面の簡単な説明】
【００４１】
【図１】本発明の実施の形態における通信端末装置の構成を示す正面図である。
【図２】同実施の形態における通信端末装置の構成を示す側面図である。
【図３】同実施の形態における通信端末装置の回路構成を示す図である。
【図４】同実施の形態における通信端末装置において着信があった場合の処理フローを 示す図である。
【図５】同着信があった場合の他の処理フローを示す図である。
【図６】同着信があった場合の他の処理フローを示す図である。
【図７】同実施の形態における通信端末装置において着信があった場合の画面例を示す 図である。
【図８】本発明の他の実施の形態における通信端末装置においてメール受信した場合の 処理フローを示す図である。
【図９】同メール受信した場合の他の処理フローを示す図である。
【図１０】同メール受信した場合の他の処理フローを示す図である。
【図１１】同メール受信した場合の他の処理フローを示す図である。
【図１２】同メール受信した場合の他の処理フローを示す図である。
【図１３】同メール受信した場合の他の処理フローを示す図である。
【図１４】同他の実施の形態における通信端末装置においてメール受信があった場合の 画面例を示す図である。
【図１５】同他の実施の形態における通信端末装置においてメール受信があった場合の 画面例を示す図である。
【図１６】同他の実施の形態における通信端末装置においてメール受信があった場合の 画面例を示す図である。
【符号の説明】
【００４２】
１０１  上側筐体
１０２  下側筐体
１０３  ヒンジ部
１０４  メインＬＣＤ
１０５  メインキー操作部
１０６  サブＬＣＤ
１０７  サブキー操作部
１０８  開閉状態検出部
１０９  制御部
１１０  ＲＦ部
１１１  アンテナ
【図１】
2007318710.tif 000003
【図２】
2007318710.tif 000004
【図３】
2007318710.tif 000005
【図４】
2007318710.tif 000006
【図５】
2007318710.tif 000007
【図６】
2007318710.tif 000008
【図７】
2007318710.tif 000009
【図８】
2007318710.tif 000010
【図９】
2007318710.tif 000011
【図１０】
2007318710.tif 000012
【図１１】
2007318710.tif 000013
【図１２】
2007318710.tif 000014
【図１３】
2007318710.tif 000015
【図１４】
2007318710.tif 000016
【図１５】
2007318710.tif 000017
【図１６】
2007318710.tif 000018